(57)【要約】 【課題】  ラップフィルムやアルミホイール等の箱入り小物類の出し入れが容易に行え、且つ、この箱入り小物類と共にキッチンペーパー等のロール体を支持することができる使い勝手の良い小物ホルダーを提供する。【解決手段】  凹曲部にラップケース等の箱入り小物類を保持する保持アーム４を上下揺動可能に、且つ多段に並設した基盤２と、当該基盤２の係着部に着脱自在に係止され、キッチンペーパー等のロール体を支持するロール支持具３とを備える。本構成では、保持アーム４を上側に起こすことにより、箱入り小物類を基盤２の前側より簡単に出し入れすることがきる。【選択図】    図１                
2005040382.tif 000002
【特許請求の範囲】
【請求項１】
凹曲部にラップフィルムやアルミホイール等の箱入り小物類を保持する保持アームを上下揺動可能に、且つ多段に並設した基盤と、当該基盤の係着部に着脱自在に係止され、キッチンペーパー等のロール体を支持するロール支持具とを備えることを特徴とする小物ホルダー。
【請求項２】
前記保持アームは、棒材を凹状に曲成して構成した左右の保持ステーと、各々保持ステーの前端を所定の高さで対向状に折曲して連結すると共に、その一部を前記保持ステーと同一平面上にて後方に向けて凸状に曲成したガードステーとを備え、前記各保持ステーの後端を所定の高さで対向状に折曲してその先端部を前記基盤側部の係合穴に回動可能に嵌入するように構成したことを特徴とする請求項１に記載の小物ホルダー。
【請求項３】
前記基盤の両側部に前記保持アームの保持ステーが当接して保持アームの下動作を規制するストッパーを設け、少なくとも最上段を除く他段の保持アームを基盤に対して斜め下向きに支持することを特徴とする請求項２に記載の小物ホルダー。
【請求項４】
前記係合穴を前記基盤側部の前後方向に複数設け、前記保持アームの取り付け位置を変えることにより保持幅を可変としたことを特徴とする請求項２または請求項３の何れかに記載の小物ホルダー。
【請求項５】
前記ガードステーの凸状部に前記箱入り小物類と接触して摩擦抵抗を呈する滑り止めを設けたことを特徴とする請求項２から請求項４までの何れかに記載の小物ホルダー。
【請求項６】
前記ロール支持具は、上部に前記基盤の係着部に係止可能な係止部を有するアーム支持部と、当該アーム支持部の両側に取り付けて、前記ロール体を回動自在に支持する支持アームと、当該アーム支持部の前面に前側に傾斜して設け、前記ロール体と当接して摩擦抵抗を呈する滑り止めを備えることを特徴とする請求項１から請求項５までの何れかに記載の小物ホルダー。
【発明の詳細な説明】
【技術分野】
【０００１】
本発明は、主に小物台所用品を保持・収納しておくのに好適な小物ホルダーに関し、詳しくは、ラップフィルムやアルミホイール等の箱入り小物類を保持する保持アームと、その下部に位置してキッチンペーパー等のロール体を支持するロール支持具とを備えた小物ホルダーに関するものである。
【背景技術】
【０００２】
この種の小物ホルダー内、箱入り小物類を保持するホルダー部分をフレームで構成し、多段に設けたものが知られており、その先行技術文献として特許文献１が開示されている。
【０００３】
特許文献１に開示されたラップホルダーは、金属線材を縦コの字形に曲成したフレームに側面視Ｌ形の保持用アームを固着して上下二段の保持用凹曲部を形成し、この凹曲部に箱体を保持するようにしたものである。
【特許文献１】実公平４−４５６７１号公報
【発明の開示】
【発明が解決しようとする課題】
【０００４】
このような多段構造のラップホルダーは、ラップフィルムの引き出しやカットの際にラップケースが傾倒したり脱落することを防止するため、保持したラップケースが上下・前後のフレームや保持用アームによって支持されるように、各段の保持用アームが上下に近接した構造と成され、ラップケースはホルダーの前側からではなく側方より出し入れするようになっている。、ラップホルダーを壁面に固定した状態で、このような側方からの出し入れ操作は面倒であり、使い勝手が悪かった。
【０００５】
また、凹曲部の奥行きは固定であるため、箱体の大きさによっては保持できないものがあったり、逆に、凹曲部の奥行きに比べて箱体の幅が小さすぎる場合は凹曲部内に大きな隙間が生じて保持したラップケース等が傾倒したり脱落したりするといった問題もあった。
【０００６】
本発明は、このような問題に鑑み成されたもので、ラップフィルムやアルミホイール等の箱入り小物類の出し入れが容易に行え、且つ、この箱入り小物類と共にキッチンペーパー等のロール体を支持することができる使い勝手の良い小物ホルダーを提供することを目的としている。
【課題を解決するための手段】
【０００７】
すなわち、請求項１に記載の本発明は、凹曲部にラップフィルムやアルミホイール等の箱入り小物類を保持する保持アームを上下揺動可能に、且つ多段に並設した基盤と、当該基盤の係着部に着脱自在に係止され、キッチンペーパー等のロール体を支持するロール支持具とを備えることを特徴としている。
本構成では、上段の保持アームを上側に起こすことにより、箱入り小物類を基盤の前側より簡単に出し入れできるようになる。
【０００８】
また、請求項２に記載の本発明は、請求項１に記載の小物ホルダーにおいて、前記保持アームは、棒材を凹状に曲成して構成した左右の保持ステーと、各々保持ステーの前端を所定の高さで対向状に折曲して連結すると共に、その一部を前記保持ステーと同一平面上にて後方に向けて凸状に曲成したガードステーとを備え、前記各保持ステーの後端を所定の高さで対向状に折曲してその先端部を前記基盤側部の係合穴に回動可能に嵌入するように構成したことを特徴としている。
本構成では、保持アームを上側に起こすことにより、箱入り小物類を基盤の前側より簡単に出し入れできるようになると共に、ガードステーの一部が括れているので、箱体を掴んだままの状態で出し入れできる。
【０００９】
また、請求項３に記載の本発明は、請求項２に記載の小物ホルダーにおいて、前記基盤の両側部に前記保持アームの保持ステーが当接して保持アームの下動作を規制するストッパーを設け、少なくとも最上段を除く他段の保持アームを基盤に対して斜め下向きに支持することを特徴としている。
本構成では、箱体が下向きに傾斜して保持されることから、箱体を取り出し易くなる。
【００１０】
また、請求項４に記載の本発明は、請求項２または請求項３の何れかに記載の小物ホルダーにおいて、前記係合穴を前記基盤側部の前後方向に複数設け、前記保持アームの取り付け位置を変えることにより保持幅を可変としたことを特徴としている。
本構成では、保持アームの保持幅を変えることにより、大きさの異なる箱体をガタ付かせずに保持することができる。
【００１１】
また、請求項５に記載の本発明は、請求項２から請求項４までの何れかに記載の小物ホルダーにおいて、前記ガードステーの凸状部に前記箱入り小物類と接触して摩擦抵抗を呈する滑り止めを設けたことを特徴としている。
本構成では、滑り止めによる摩擦抵抗で箱体の横滑りを防止し、傾倒したり脱落することなく箱体をしっかり保持することができる。
【００１２】
また、請求項６に記載の本発明は、請求項１から請求項５までの何れかに記載の小物ホルダーにおいて、前記ロール支持具は、上部に前記基盤の係着部に係止可能な係止部を有するアーム支持部と、当該アーム支持部の両側に取り付けて、前記ロール体を回動自在に支持する支持アームと、当該アーム支持部の前面に前側に傾斜して設け、前記ロール体と当接して摩擦抵抗を呈する滑り止めを備える
ことを特徴としている。
本構成では、支持アームに支持されたキッチンペーパーは滑り止めに対して幾分角度を持って当接するため、当接時の摩擦効果は顕著であり、その大きな摩擦抵抗によってキッチンペーパーを片手でミシン目から確実に切除することができる。
【発明の効果】
【００１３】
以上、説明したように、請求項１、請求項２に記載の本発明によれば、基盤の保持アームを上下揺動可能にしたので、箱入り小物類の出し入れは、上段の保持アームを上側に起こすことにより、保持アームの前側からでも簡単に行うことができる。加えて、ガードステーの一部が括れているので、箱体を掴んだままで出し入れすることができる。
【００１４】
また、請求項３に記載の本発明によれば、ストッパーを設けて、少なくとも最上段を除く他段の保持アームを基盤に対して斜め下向きに支持するようにしたので、少なくとも最上段を除く他段の箱入り小物類が前側に寄った状態で幾分下向きに保持されることから、箱体を取り出し易くなる。
【００１５】
また、請求項４、請求項５に記載の本発明によれば、保持アームの保持幅を可変としたので、箱入り小物類の大きさに応じて保持幅を変えることにより、大きさの異なる箱体をガタ付かせずに保持アームに保持できると共に、滑り止めの摩擦抵抗によって箱体の横滑りを防止し、箱体が傾倒したり脱落することが防止できる。
【００１６】
また、請求項６に記載の本発明によれば、ロール体と当接して摩擦抵抗を呈する滑り止めをアーム支持部の前面に前側に傾斜して設けたので、支持アームに支持されたキッチンペーパーは滑り止めに対して幾分角度を持って当接するため、当接時の摩擦効果は顕著であり、その大きな摩擦抵抗によってキッチンペーパーを片手でミシン目から確実に切除することができる。
【発明を実施するための最良の形態】
【００１７】
以下、図１〜図６に基づいて本発明に係る小物ホルダーの一実施形態を説明する。
図１は小物ホルダーの正面図、図２は同、側面図、図３は同、平面図、図４は小物ホルダーの基盤の裏面図、図５は同、側面図、図６は保持アームの斜視図。
【００１８】
図１、図２に示すように、本実施形態の小物ホルダー１は、保持アーム４によってラップフィルムやアルミホイール等の各種箱入り小物類Ｂ（以下、ラップフィルムＢとする）を収納しておく基盤２と、この基盤２の下部に着脱自在に配設されてキッチンペーパー等のロール体Ｒ（以下、キッチンペーパーＲとする）を支持しておくロール支持具３とで成る。
【００１９】
基盤２は、図３〜図５に示すように、四角形状の合成樹脂製で、その前面２ａに上記した保持アーム４が上下に３段配設されている。この保持アーム４は、図６に示すように、ステンレス製の棒材を折り曲げてトレイ状に構成したものであって、凹状に曲成された左右の保持ステー５、５と、各々保持ステー５、５の前端立ち上げ部５ａ、５ａを箱体の厚み以下の所定の高さで対向状にほぼ直角に折曲して連結すると共に、その中央部分を保持ステー５と同一平面位置にて後方に向けて凸状に曲成したガードステー６とを備え、且つ、この凸状部９を比較的摩擦抵抗の大きいゴム製チューブ（例えば、ＮＢＲにようなスポンジゴム）で被覆したものである。
【００２０】
また、保持アーム４は、各々保持ステー５、５の後端立ち上げ部５ｂ、５ｂを所定の高さで対向状にＬ字形に折曲すると共に、そのＬ字先端部７、７を基盤２の側面２ｂに設けた係合穴８に回動可能に嵌入することにより、上下に揺動可能とすることができる。従って、例えば、中段のラップフィルムＢを出し入れする時は、上段の保持アーム４を上側に起こして上段の保持アーム４との間に十分なスペースを確保すれば、ラップフイルムＢを保持アーム４の前側からでも簡単に出し入れすることができると共に、凸状部９によってガードステー６の中央部分が括れているので、ラップフィルムＢを掴んだまま出し入れすることができるため、極めて使い勝手が良い。
【００２１】
また、係合穴８は、基盤２の側面２ｂに設けた四角状の陥没部１０内に前後方向に２個並べて設けてあり、保持アーム４を取り付ける際に、この２個の係合穴８、８の内の何れかを選択することにより、ガードステー６を基盤２に対して前後することができ、これにより、保持アーム４の保持幅（ガードステー６と基盤２の前面２ａの距離）を２段階に調整できるようになっている。
【００２２】
例えば、図２においては、最上段の保持アーム４は、前側の係合穴８を使用することで保持幅を広くして大きめのラップフィルムＢを好適に保持しており、他段の保持アーム４は、後側の係合穴８を使用することで保持幅を狭めて小さめのラップフィルムＢを好適に保持している。尚、係合穴８の数を増やして保持幅の調整代を細かくすることも可能である。
【００２３】
このように、ラップフィルムＢは、これら左右の保持ステー５、５と前部の凸状部９の三カ所でケースの底部が支持され、また、ガードステー６でケースの前部が支持されるようになっており、上記のように、前後の係合穴８、８を選択してラップフィルムＢの大きさに応じた保持幅に設定することにより、ケースサイズの異なるラップフィルムＢをガタ付かせずに保持することができると共に、滑り止め１１の呈する摩擦抵抗によってラップフィルムＢの横滑りを防止する。
【００２４】
また、基盤２の両側部には、陥没部１０の底部を延設した鍔状のストッパー１２が形成されており、保持アーム４の上下揺動動作において、保持ステー５がこのストッパー１２の上面に当接することによって保持アーム４の下動作が所定の位置で規制され、保持アーム４の取り付け時の傾きが設定されるようになっている。尚、係合穴８、８の選択によって保持アーム４の傾きが変わらないよう、係合穴８、８の高さ位置はストッパー１２の面に平行となるように形成されている。
【００２５】
本実施形態では、図２に示すように、最上段の保持アーム４は基盤２に対してほぼ直角に支持され、他段の保持アーム４は基盤２に対して幾分斜め下向きに支持されるように、各保持アーム４に対するストッパー１２上面の傾きが設定されており、少なくとも最上段を除く他段のラップフィルムＢが前側（ガードステー６側）に寄った状態で、且つ、幾分下向きに保持されることから、ラップフィルムＢの取り出しが容易になっている。
【００２６】
また、図４（ａ）に示すように、基盤２の背面２ｃの下部中央付近には係着部１３が設けてあり、後述するロール支持具３を基盤２の下部に係止できるようになっている。
【００２７】
係着部１３は、図４（ｂ）に示す係着部１３の平面視のように、上端および下端をＬ形に形成して背面２ｃとの間に摺動溝１６を形成すると共に、中央幅方向に凸部１４を形成した一対の細長板部材１５、１５を対向配置したもので、この凸部１４に後述するロール支持具３の凹部（２８）が係合することにより、ロール支持具３を基盤２の背面２ｃに着脱自在に係止できるようになっている。尚、この係着部１３を構成する一対の細長板部材１５、１５は、基盤２に一体成形されている。
【００２８】
また、図３、図４に示すように、基盤２の背面２ｃの上部左右の２カ所に、この小物ホルダー１を壁面に固定するためのヨーク１７付きのマグネット１８が取り付けてある。
本実施形態では、図４に示すように、合成樹脂製の板材をコの字状に欠切し、その内側の部分を弾性変形可能な可動片１９とすると共に、この可動片１９に上記したヨーク１７付きのマグネット１８を両面テープ等で貼着する構造としており、これにより、磁着の際、可動片１９が壁面に沿って、図４においては手前側に揺動するため、小物ホルダー１を冷蔵庫などの曲面に取り付けることもできる。
【００２９】
次に、図１、図２に基づいてロール支持具３について説明する。
【００３０】
ロール支持具３は、上部に上記した基盤２の係着部１３へ係止可能な係止部２１を設けた板状のアーム支持部２０と、このアーム支持部２０の両側に取り付けて、ロール状のキッチンペーパーＲを回動自在に支持する一対のＬ形支持アーム２２、２２とで構成される。
【００３１】
アーム支持部２０の係止部２１は、角形舌状片２７の両側部に基盤２の係着部１３に設けた凸部１４に係合する凹部２８を形成したものである。この角形舌状片２７は、幅方向の中央に縦方向の切欠溝２６を設けて幅方向に適度な弾性を持たせていると共に、基盤２の係着部１３を構成する一対の細長板部材１５、１５の間に挿入した時、その弾性に抗して摺動溝１６内を上下に摺動できるような幅寸法が設定されており、係着部１３の凸部１４と係止部２１の凹部２８が係合して角形舌状片２７が弾性復帰することにより、ロール支持具３は基盤２の背面２ｃにしっかり係止される。
この時、アーム支持部２０は基盤２の下部に位置し、その支持アーム２２に装着されるキッチンペーパーＲは丁度基盤２の真下に位置するようになる。
【００３２】
支持アーム２２は、アーム支持部２０の両側面に穿設した取付孔２３、２３に、例えば、二つ割り構造にして弾性を持たせたジョイント２４の筒状胴部を回動自在に嵌合すると共に、ジョイント２４の頭部にピン２５にて回動自在に枢着されている。
【００３３】
このように、支持アーム２２は、ピン２５を中心とする回動とジョイント２４の胴部を中心とする回動の両方が可能であり、よって、キッチンペーパーＲの幅の長短や径の大小に関係なく装着できることになる。
【００３４】
また、アーム支持部２０の前面部２０ａには、キッチンペーパーＲと当接して摩擦抵抗を呈する滑り止め２９が設けてある。この滑り止め２９は、比較的摩擦抵抗の大きい、ゴム板（例えば、ＲＢ）を貼着したものであって、且つ、図２に示すように、アーム支持部２０の前面部２０ａが前側に傾斜している。
【００３５】
このため、キッチンペーパーＲを支持アーム２２に装着すると、キッチンペーパーＲの巻面が滑り止め２９に対して幾分角度を持って当接することになり、その結果、当接時の摩擦抵抗はアーム支持部２０の前面部２０ａが垂直に構成される場合に比べて大きなものとなる。従って、図２の矢印で示すように、片手でキッチンペーパーＲの端部を下方に引っ張れば、滑り止め２９で呈する大きな摩擦抵抗によって確実にミシン目から切除することができる。また、キッチンペーパーＲの径が細くなった場合も、上記した摩擦抵抗の効果により切除し易くなっている。
尚、滑り止め２９は、必ずしも上記のように摩擦抵抗の大きいゴム材を貼着したものに限らず、キッチンペーパーＲの巻面が当接する前面部２０ａの部分に断面三角形の連続横溝を形成して滑り止２９としても構わない。
【００３６】
また、アーム支持部２０の裏側下部にヨーク１７付きのマグネット１８が取り付けてあり、基盤２と共にロール支持具３自体を壁面にしっかり固定できるようになっている。
【００３７】
以上のように、本実施形態の小物ホルダー１は、基盤２にロール支持具３を取り付けることにより、ラップフィルムやアルミホイール等の箱入り小物類Ｂと共にキッチンペーパー等のロール体Ｒを支持することができ、且つ、これら、小物類Ｂの出し入れやロール体Ｒの着脱は容易に行えるものであるから、忙しい台所仕事にあっては極めて使い勝手の良いものとなる。
【００３８】
また、角形舌状片２７の両側部に基盤２の係着部１３に設けた凸部１４に係合する凹部２８を形成した係止部２１を備えていれば、ロール支持具３以外の用途別支持具を着脱自在に取り付けて使用することもできる。
【図面の簡単な説明】
【００３９】
【図１】本発明に係る小物ホルダーの正面図。
【図２】同、小物ホルダーの側面図。
【図３】同、小物ホルダーの平面図。
【図４】同、小物ホルダーの基盤の裏面図。
【図５】同、小物ホルダーの基盤の側面図。
【図６】保持アームの斜視図。
【符号の説明】
【００４０】
１  小物ホルダー
２  基盤
３  ロール支持具
４  保持アーム
５  保持ステー
６  ガードステー
８  係合穴
９  凸状部  
１１、２９  滑り止め
１２  ストッパー
１３  係着部
２０  アーム支持部
２１  係止部
２２  支持アーム
Ｂ  箱入り小物類（ラップフィルム）
Ｒ  ロール体（キッチンペーパー）
【図１】
2005040382.tif 000003
【図２】
2005040382.tif 000004
【図３】
2005040382.tif 000005
【図４】
2005040382.tif 000006
【図５】
2005040382.tif 000007
【図６】
2005040382.tif 000008